(57)【特許請求の範囲】
【請求項１】
槽体の排水を行う排水配管であって、
槽体内の水位が一定以上となった時に排水流路を開放する水量調節弁を備え、
前記槽体は、底面に開口した排水口と、
当該排水口と連通して排水流路を形成する排水管を備え、
前記排水流路は、止水弁を有する第一排水流路と、
上記止水弁の上流側から分岐し、前記水量調節弁を有する第二排水流路から成り、
前記止水弁は、第一排水流路を閉塞することで吐水等を槽体内に貯留可能であって、
前記水量調節弁は、槽体内の水位が一定以上となった時に第二排水流路を開放することを特徴とする排水配管。
【請求項２】
前記水量調節弁が、
磁石の反発又は吸引により排水流路を閉塞する方向に付勢されていることを特徴とする請求項１に記載の排水配管。
【請求項３】
前記水量調節弁が、
スプリングの反発又は収縮により排水流路を閉塞する方向に付勢されていることを特徴とする請求項１に記載の排水配管。
【請求項４】
前記水量調節弁が、
自重又は重りの質量によって排水流路を閉塞する方向に付勢されていることを特徴とする請求項１に記載の排水配管。
【請求項５】
槽体の排水を行う排水配管であって、
槽体内の水位が一定以上となった時に排水流路を開放する水量調節弁を備え、
前記水量調節弁が、
任意の場所において水位若しくは水圧を検知するセンサを有し、
当該センサによって検知した情報に基づいて可動し、排水流路の開閉を行うことを特徴とする排水配管。
【請求項６】
前記槽体は、槽体内の水位が一定以上となった時に水量調節弁によって排水流路が開放されて水位が調節される貯水可能高さが設定され、
水量調節弁が、当該貯水可能高さより低い位置に配置されていることを特徴とする請求項１乃至請求項５のいずれか１つに記載の排水配管。
【発明の詳細な説明】
【技術分野】
【０００１】
本発明は、排水を下流へと排出する排水配管に関するものであって、更に詳しくは、槽体の底面に開口した排水口を閉塞した際に、槽体内に貯留された水等が、槽体の上縁から溢れ出てしまうことを防ぐオーバーフロー機構を有する槽体の排水配管に関するものである。
【背景技術】
【０００２】
洗面ボウルやシンク、浴槽等の槽体内に生じる排水は、槽体の底面に開口した排水口と連通して排水流路を形成する排水管を通じて下流側へと排出される。そして、当該排水口をゴム栓や弁を遠隔的に操作する排水栓装置等によって閉塞することで、槽体内部に水等を貯留することが可能となっている構造の排水配管が知られている。
【０００３】
上記排水配管においては、槽体内に貯留された水等が槽体の上縁より溢れ出ることを防ぐため、オーバーフロー機構と呼ばれる水位調節のための機構が設けられている。
当該オーバーフロー機構の多くは、槽体の側面にオーバーフロー孔を開口し、槽体の裏面よりオーバーフロー孔と連通するオーバーフロー配管を配設することで、オーバーフロー孔からの排水流路を排水口の下流側の排水管へと合流させる構成となっている。このように構成することで、槽体内の水位がオーバーフロー孔の高さに達すると、貯留された水等が槽体の上縁を越えて槽体外へと溢れる前にオーバーフロー孔へと流入し、オーバーフロー配管を通じて排水口下流側の排水管より排出することができる。
【０００４】
しかし、上記オーバーフロー機構は必ず槽体の側面にオーバーフロー孔を開口させる必要があることから、槽体のデザインが制限される他、オーバーフロー孔内の汚れを使用者が目視可能となっており、意匠性が悪かった。
そこで、特許文献１に記載の排水配管のように、オーバーフロー孔を設けることなくオーバーフロー機構を構成することが可能な排水配管が提案されている。
【０００５】
特許文献１に記載の排水配管は、槽体の底面に開口した排水口と連通する排水管と、当該排水管の内部の流路を閉塞する止水弁と、該止水弁よりも上流側において分岐し、断面視略Ｌ状に屈曲するオーバーフロー配管を有している。当該オーバーフロー配管は止水弁の上流側より略水平方向に延設された後に略直角に屈曲することで流路を所定高さまで上昇させ、折り返し部において流路が約１８０度屈曲した後に弁の下流側まで流路が垂下し、再び略水平方向に屈曲して止水弁の下流側にて排水管と合流している。又、オーバーフロー配管はその上端（折り返し部）が槽体の底面よりも上方且つ槽体の上縁よりも下方に配置されている。尚、オーバーフロー配管は収納空間を有するキャビネット内部に配設され、使用者からは目視不可能となっている。
上記特許文献１に記載の排水配管において、槽体内に水等が貯留される際には以下の流れとなる。
まず、止水弁によって排水流路が閉塞され、貯水が開始される。この時、オーバーフロー配管が止水弁の上方より分岐することから、水等はオーバーフロー配管へと流入する。そして、オーバーフロー配管は槽体の下流側の配管より分岐していることから、槽体とオーバーフロー配管内の水圧が釣り合い、それぞれの水位が等しくなる。従って、水等がオーバーフロー配管の折り返し部を越えて貯留されようとすると、水等は折り返し部を乗り越え（溢れて）下流側へと流れ込み、弁の下流側にて排水管へと合流する。即ち、槽体内にはオーバーフロー配管の折り返し部が設けられた高さまで水等を貯留することができ、折り返し部の高さ位置を超えて水等が貯留されようとした場合、余剰水はオーバーフロー配管を通じて下水側の配管へと排出される構造となっている。
【先行技術文献】
【特許文献】
【０００６】
【特許文献１】特開２０１１−１１７２２９号公報
【発明の概要】
【発明が解決しようとする課題】
【０００７】
上記のように、特許文献１に記載の排水配管はオーバーフロー孔を槽体に設ける必要がないため、設備機器のデザインが制限されず、意匠性が向上するが、当該排水配管を施工するためには、槽体裏側等に略Ｌ字状のオーバーフロー配管を収納するための空間が必要となる。従って、槽体裏側に排水配管を収納する空間を有していない洗面台や壁面から直接槽体が突出する洗面台等においては、特許文献１に記載の排水配管を施工することができない。例えば、図２５に示す洗面台は意匠性の向上を目的として、キャビネットの天面が平坦に形成され、当該キャビネットの天面に椀状の槽体である洗面ボウルが載置されている。従って、特許文献１に記載の排水配管を配設するには、キャビネットの天面の一部を切り欠く必要があるが、意匠性を著しく損なうこととなるため、採用することは難しい。又、エプロン等による目隠し部材を有さない浴槽等においては、特許文献１に記載の排水配管を配設した場合、使用者による目視が可能となり、著しく意匠性を損なうこととなる。
【０００８】
本発明は上記問題に鑑み、槽体壁面にオーバーフロー孔を設けることなくオーバーフロー機構を形成する排水配管について、構造上又は意匠性等の理由により従来の排水配管が採用不可能であった設備機器にも取り付け可能な排水配管の提供を課題とする。
【課題を解決するための手段】
【０００９】
上記課題を解決するための請求項１に記載の本発明は、槽体の排水を行う排水配管であって、
槽体内の水位が一定以上となった時に排水流路を開放する水量調節弁を備え、
前記槽体は、底面に開口した排水口と、
当該排水口と連通して排水流路を形成する排水管を備え、
前記排水流路は、止水弁を有する第一排水流路と、
上記止水弁の上流側から分岐し、前記水量調節弁を有する第二排水流路から成り、
前記止水弁は、第一排水流路を閉塞することで吐水等を槽体内に貯留可能であって、
前記水量調節弁は、槽体内の水位が一定以上となった時に第二排水流路を開放することを特徴とする排水配管である。
【００１０】
請求項２に記載の本発明は、前記水量調節弁が、
磁石の反発又は吸引により排水流路を閉塞する方向に付勢されていることを特徴とする請求項１に記載の排水配管である。
【００１１】
請求項３に記載の本発明は、前記水量調節弁が、
スプリングの反発又は収縮により排水流路を閉塞する方向に付勢されていることを特徴とする請求項１に記載の排水配管である。
【００１２】
請求項４に記載の本発明は、前記水量調節弁が、
自重又は重りの質量によって排水流路を閉塞する方向に付勢されていることを特徴とする請求項１に記載の排水配管である。
【００１３】
請求項５に記載の本発明は、槽体の排水を行う排水配管であって、
槽体内の水位が一定以上となった時に排水流路を開放する水量調節弁を備え、
前記水量調節弁が、
任意の場所において水位若しくは水圧を検知するセンサを有し、
当該センサによって検知した情報に基づいて可動し、排水流路の開閉を行うことを特徴とする排水配管である。
【００１４】
請求項６に記載の本発明は、前記槽体は、槽体内の水位が一定以上となった時に水量調節弁によって排水流路が開放されて水位が調節される貯水可能高さが設定され、
水量調節弁が、当該貯水可能高さより低い位置に配置されていることを特徴とする請求項１乃至請求項５のいずれか１つに記載の排水配管である。
【発明の効果】
【００１５】
請求項１に記載の本発明によれば、槽体内の水位が水量調節弁によって調節されることから、従来の排水配管のように、槽体裏側に排水配管を収納する空間を有していない洗面台等にも施工することが可能となる。
請求項２乃至請求項６に記載の本発明によれば、水量調節弁の具体的な構成を明確にすることができる。
【図面の簡単な説明】
【００１６】
【図１】本発明の施工状態を示す断面図である。
【図２】止水弁の上昇状態を示す断面図である。
【図３】図１の要部拡大図である。
【図４】第一排水流路の開放状態を示す要部拡大図である。
【図５】第二排水流路の開放状態を示す要部拡大図である。
【図６】第二実施形態の施工状態を示す断面図である。
【図７】止水弁の上昇状態を示す断面図である。
【図８】図６の要部拡大図である。
【図９】第一排水流路の開放状態を示す要部拡大図である。
【図１０】第二排水流路の開放状態を示す要部拡大図である。
【図１１】第三実施形態の施工状態を示す断面図である。
【図１２】図１１の要部拡大図である。
【図１３】第一排水流路の開放状態を示す要部拡大図である。
【図１４】第二排水流路の開放状態を示す要部拡大図である。
【図１５】第四実施形態の施工状態を示す断面図である。
【図１６】図１５の要部拡大図である。
【図１７】第一排水流路の開放状態を示す要部拡大図である。
【図１８】第二排水流路の開放状態を示す要部拡大図である。
【図１９】第五実施形態の施工状態を示す断面図である。
【図２０】図１９の要部拡大図である。
【図２１】水量調節弁の作動状態を示す要部拡大図である。
【図２２】第六実施形態の施工状態を示す断面図である。
【図２３】図２２の要部拡大図である。
【図２４】第二排水流路の開放状態を示す要部拡大図である。
【図２５】従来の排水配管を示す参考図である。
【発明を実施するための形態】
【００１７】
以下、図面を参照しながら本発明の排水配管を説明する。尚、以下に記載する説明は実施形態の理解を容易にするためのものであり、これによって発明が制限して理解されるものではない。又、以下の実施形態においては、図１に示す状態を基準として上下左右を説明する。
【００１８】
図１、図２に示すように、本実施形態の排水配管は洗面台Ｓに取り付けられており、槽体Ｂ内部に発生した排水等を下流側へと排出する。
【００１９】
洗面台Ｓは、図示しない洗面所内に配置される設備機器であって、槽体Ｂ、キャビネットＫより構成されている。
槽体Ｂは使用により内部に排水等が発生する洗面ボウルであり、キャビネットＫの天面上に載置されている。槽体Ｂの底面には排水口Ｂ１が開口しており、排水口Ｂ１には排水流路を形成する排水管１が連通されている。又、排水口Ｂ１には化粧板Ｂ２が挿入されている。
キャビネットＫは内部に排水管１等を収納する空間を有する略箱状であり、その天面には上記槽体Ｂが載置されており、槽体Ｂの背面（図１、図２における右側）において水栓Ｆが設けられている。尚、キャビネットＫの天面は平坦に形成されており、槽体Ｂの周囲は全て使用者が目視可能となっている。
【００２０】
排水管１は排水口Ｂ１に連通されて排水流路を形成する配管であって、排水口本体２、オーバーフローユニット３、排水栓装置１３、排水トラップ１９より構成されている。尚、排水管１は止水弁１７によって開閉される第一排水流路と、槽体Ｂ内の所定水位まで水等が貯留された際おいて、槽体Ｂ内の余剰水を排出する第二排水流路を有している。
【００２１】
排水口本体２は上部にフランジを有する略円筒状であって、排水口Ｂ１に挿通されている。又、排水口本体２は筒状部分外周に雄螺子が形成されており、槽体Ｂの裏面（下面）に配置されたナットと螺合することによって排水口Ｂ１の周縁を挟持している。尚、排水口本体２のフランジと槽体Ｂの底面との間にはパッキンが配置されており、排水口本体２は槽体Ｂに対して水密に接続されている。又、排水口本体２の下端はアダプター４に、パッキンとナットによって取り付けられている。
【００２２】
オーバーフローユニット３は、アダプター４、水量調節弁１０より構成されている。
アダプター４は内部に後述する止水弁１７が当接する弁座５を内部に有し、止水弁１７によって開閉される第一排水流路を備えている。弁座５の上流側（上方）には、側面方向にオーバーフロー流入口６が開口しており、弁座５の下流側（下方）には、側面方向にオーバーフロー排出口７が開口している。尚、図５に示すように、オーバーフロー排出口７より排出された排水は合流部９にて第一排水流路と合流する。又、オーバーフロー流入口６とオーバーフロー排出口７は共に水平方向が長径側となる略長方形状であって、折り返し部８を介して連続し、水量調節弁１０によって開閉される第二排水流路を形成している。
折り返し部８はその内部において水量調節弁１０を有しており、第二排水流路は上流側及び下流側から正圧も負圧も生じていない状態において閉塞されている。又、折り返し部８は図示しないガイド部が形成されており、水量調節弁１０が作動時に傾くことを防止している。
水量調節弁１０は上流側（左側）にゴム等から成るパッキンが取り付けられた止水面を有する弁体であって、その下流側（右側）には磁石１１ａが取り付けられており、第二排水流路の外側には当該磁石１１ａと反発する向きに配置された磁石１１ｂが設けられている。即ち、水量調節弁１０は磁石の反発によって第二排水流路を閉塞する方向に付勢されており、所定以上の圧力が加わった際に下流側に移動し、第二排水流路を開放する構造となっている。ここで、磁石１１ｂは外周に雄螺子が形成された弁軸１２と連結しており、アダプター４の外側に取り付けられたナット２１の内周に形成された雌螺子と螺合されている。従って、水量調節弁１０はツマミ部分を回転させることによって磁石１１ａと磁石１１ｂの相対距離、即ち磁石１１ａに加わる反発力を調整することで、第二排水流路を開放するために必要な圧力を調整することが可能となっている。
【００２３】
排水栓装置１３は止水弁１７を遠隔的に操作する装置であって、スイッチ部１４、レリースワイヤ１５、レバー１６から構成されている。
止水弁１７は周囲にパッキンが嵌着された弁体であって、弁座５に当接することで第一排水流路を閉塞する。止水弁１７はその中央において、上下に延設された軸部を有し、軸部の上方にフロート１８が取り付けられている。又、軸部の下端は排水栓装置１３のレバー１６と当接可能な位置に配置されている。フロート１８は比重が水よりも軽い材質より成り、止水弁１７上に水等が貯留された際、軸部に沿って軸方向に上昇可能となっている。又、フロート１８はフランジ部を有し、上昇時には当該フランジ部が上流側の排水流路内周に当接し、排水流路内部の汚れ等が槽体Ｂ側へと逆流することを防ぐ。
スイッチ部１４は手動による押し引きを行う操作部であって、キャビネットＫの天面上且つ水栓Ｆの背面に配置されている。
レリースワイヤ１５は金属の撚り線であるインナーワイヤがチューブ状のアウターチューブ内に摺動可能に配置された部材であって、軸方向に剛性を有するとともに、側面方向に可撓性を有する。レリースワイヤ１５はその一端がスイッチ部１４の下端と連結しており、他端がレバー１６に取り付けられている。レリースワイヤ１５はスイッチ部１４の押動操作に応じてインナーワイヤが後退／突出する構造となっており、スイッチ部１４に加えられた操作をレバー１６に伝達する。
レバー１６は排水管１の内部に配置され、インナーワイヤが後退するとレバー１６端部が上昇し、インナーワイヤが突出するとレバー１６端部が下降する構造となっている。
即ち、スイッチ部１４が引き上げられると、レバー１６端部が上昇し、止水弁１７を突き上げることで第一排水流路を開放状態とする。又、スイッチ部１４が押し込まれるとレバー１６端部が下降し、止水弁１７が自重によって降下して第一排水流路が閉塞状態となる。
【００２４】
排水トラップ１９は側面視略Ｓ状の管トラップであり、内部に排水の一部を貯留することによって封水を形成し、下流側からの臭気や害虫等の侵入を防ぐ効果を有している。尚、排水トラップ１９はその下端が図示しない配管と連結しており、内部に流入した排水を下水側の配管へ排出する。
【００２５】
以下に、本発明の排水配管を通過する水等の流れを説明する。
【００２６】
まず、図２、図４に示すように、スイッチ部１４が引き上げられている状態における水等の流れを説明する。当該状態において、インナーワイヤはスイッチ部１４の引き上げに伴い後退しており、レバー１６端部は上昇した状態となっている。従って、レバー１６によって止水弁１７は押し上げられており、第一排水流路が開放状態となっている。
上記止水弁１７の上昇状態において、水栓Ｆより吐水が行われた際、槽体Ｂに排出された水等は排水口Ｂ１より排水口本体２、アダプター４、排水トラップ１９を通過して下水側の配管（図示せず）へと排出される。この時、排水トラップ１９に流入した排水の一部は排水トラップ１９の底面に貯留され、封水を形成する。
【００２７】
上記状態よりスイッチ部１４が押し込まれると、インナーワイヤがレバー１６側に突出し、レバー１６端部が下降する。従って、止水弁１７は自重によって下降し、止水弁１７のパッキンが弁座５に当接することによって、図４に示すように、第一排水流路が閉塞された状態となる。
上記止水弁１７の下降状態において、水栓Ｆより排出された水等は排水口Ｂ１より排水口本体２を通じ、アダプター４内に流入するが、図３に示すように、止水弁１７によって第一排水流路が閉塞されているため、上記アダプター４内に流入した水等はオーバーフロー流入口６より第二排水流路へと流入する。
しかし、上記第二排水流路は水量調節弁１０によって流路が閉塞されているため、上記水等は水量調節弁１０によって閉塞されている部分にまで流入し、槽体Ｂ内に水等が貯留される。
更に水栓Ｆより吐水が行われると、図５に示すように、槽体Ｂ内の水位が上昇するとともに、フロート１８が浮力によって上昇し、フロート１８のフランジ部が上流側の排水流路の内周に当接する。この時、第二排水流路と槽体Ｂの水位に差が生じ、当該水位の差に基づいて水量調節弁１０に対して上流側から下流側（図３における左側から右側）へと圧力が加わる。当該圧力が磁石１１による反発力よりも小さい状態においては、水量調節弁１０は閉塞を維持するが、更に吐水が行われ、槽体Ｂ内の水位が所定高さに達した際には、第二排水流路と槽体Ｂの水位の差に基づく圧力が磁石１１による反発力を上回り、図５に示すように水量調節弁１０が下流側へと押されて第二排水流路が開放される。従って、所定水位まで槽体Ｂ内に水等が貯留された状態より更に吐水が行われると、第二排水流路内の水等は折り返し部８を介してオーバーフロー排出口７よりアダプター４内に流入する。アダプター４内に流入した水等は合流部９において第一排水流路と合流し、排水トラップ１９を介して下水側の配管（図示せず）へと排出される。
即ち、所定水位を超えて貯留されようとした場合、余剰水等は全て第二排水流路を通じて下水側の配管へと排出されるため、槽体Ｂの水位は一定に保たれることとなり、槽体Ｂの上縁より余剰水等が溢れ出ることはない。
そして、水栓Ｆからの吐水が終了する・排水栓装置１３が操作されて止水弁１７が上昇する等により、槽体Ｂの水位が所定高さより低くなると、水等による圧力が磁石１１の反発力を下回り、水量調節弁１０が磁石１１の反発によって再び左側へと移動し、第二排水流路を閉塞する。
尚、上記槽体Ｂ内に貯水が行われている際、フロート１８が浮力によって上昇し、フランジ部が上流側の排水流路の内周に当接することにより、第二排水流路内の汚れ・ゴミ等が槽体Ｂ内に逆流することを防ぐことができる。一方で、フロート１８は上方からの圧力が加わった際には下降するため、フロート１８が上昇した状態であっても、上流側からの水等の排出を妨げることはない。
【００２８】
本発明の第一実施形態は以上であるが、本発明によれば、槽体Ｂ内の水位が一定以上となった時に第二排水流路を開放する水量調節弁１０を備えることにより、第二排水流路を小型化することが可能となり、従来の排水配管が採用不可能であった設備機器にも取り付けを行うことが可能となる。
又、本発明の排水配管においては、ツマミ部分を回転させることによって磁石１１ｂの位置を調整し、磁石１１ａに加わる反発力を調整することが可能になる。即ち、本発明は水量調節弁１０に加わる磁力を調整することによって、槽体Ｂ内に貯留可能な水等の水位を調整することが可能となる。
【００２９】
尚、上記第一実施形態においては、水量調節弁１０は止水面の傾きを保ったまま略水平に作動したが、止水面上方にヒンジ部を設け、ヒンジ部を軸として回動するようにして第二排水流路を閉塞／開放しても良い。
【００３０】
次に、図６乃至図１０を用いて本発明の第二実施形態を説明する。尚、以下に記載する第二実施形態は、上記第一実施形態に対してオーバーフローユニット３のみが異なるため、その他の構成については上記第一実施形態と同一の番号を付与して説明を省略する。尚、以下に記載する第二実施形態は、上記第一実施形態と同様に、止水弁１７によって開閉される第一排水流路と、槽体Ｂ内の所定水位まで水等が貯留された際おいて、槽体Ｂ内の余剰水を排出する第二排水流路を有している。
【００３１】
第二実施形態に係るオーバーフローユニット３は、アダプター４、水量調節弁１０より構成されている。
アダプター４は内部に後述する止水弁１７が当接する弁座５を内部に有し、止水弁１７によって開閉される第一排水流路を備えている。弁座５の上流側（上方）には、側面方向にオーバーフロー流入口６が開口しており、弁座５の下流側（下方）には、側面方向にオーバーフロー排出口７が開口している。尚、図１０に示すように、オーバーフロー排出口７より排出された排水は合流部９にて第一排水流路と合流する。又、オーバーフロー流入口６とオーバーフロー排出口７は共に水平方向が長径側となる略長方形状であって、折り返し部８を介して連続し、水量調節弁１０によって開閉される第二排水流路を備えている。
折り返し部８はその内部において水量調節弁１０を有しており、第二排水流路は上流側及び下流側から正圧も負圧も生じていない状態において閉塞されている。又、折り返し部８は図示しないガイド部が形成されており、水量調節弁１０が作動時に傾くことを防止している。
水量調節弁１０は上流側（左側）にゴム等から成るパッキンが取り付けられた止水面を有する弁体であって、その下流側（右側）には折り返し部８の外周まで延設された弁軸１２が設けられている。又、水量調節弁１０は弁軸１２と折り返し部８の外周との間にスプリング２０が配設されている。即ち、水量調節弁１０はスプリング２０によって第二排水流路を閉塞する方向に付勢されており、所定以上の圧力が加わった際に下流側に移動し、第二排水流路を開放する構造となっている。ここで、折り返し部８は外周においてナット２１を有しており、当該ナット２１を回転させることによってスプリング２０を圧縮することが可能となっている。従って、水量調節弁１０はナット２１を回転させることによってスプリング２０の反発力を調整することで、第二排水流路を開放するために必要な圧力を調整することが可能となっている。
【００３２】
以下に、本発明の排水配管を通過する水等の流れを説明する。
【００３３】
まず、図７、図９に示すように、スイッチ部１４が引き上げられている状態における水等の流れを説明する。当該状態において、インナーワイヤはスイッチ部１４の引き上げに伴い後退しており、レバー１６端部は上昇した状態となっている。従って、レバー１６によって止水弁１７は押し上げられており、第一排水流路は開放状態となっている。
上記止水弁１７の上昇状態において、水栓Ｆより吐水が行われた際、槽体Ｂに排出された水等は排水口Ｂ１より排水口本体２、アダプター４、排水トラップ１９を通過して下水側の配管（図示せず）へと排出される。この時、排水トラップ１９に流入した排水の一部は排水トラップ１９の底面に貯留され、封水を形成する。
【００３４】
上記状態よりスイッチ部１４が押し込まれると、インナーワイヤがレバー１６側に突出し、レバー１６端部が下降する。従って、止水弁１７は自重によって下降し、止水弁１７のパッキンが弁座５に当接することによって、図６、図８に示すように、第一排水流路が閉塞された状態となる。
上記止水弁１７の下降状態において、水栓Ｆより排出された水等は排水口Ｂ１より排水口本体２を通じ、アダプター４内に流入するが、図８に示すように、止水弁１７によって第一排水流路が閉塞されているため、上記アダプター４内に流入した水等はオーバーフロー流入口６より第二排水流路へと流入する。
しかし、上記第二排水流路は水量調節弁１０によって流路が閉塞されているため、上記水等は水量調節弁１０によって閉塞されている部分にまで流入し、槽体Ｂ内に水等が貯留される。
更に水栓Ｆより吐水が行われると、槽体Ｂ内の水位が上昇するとともに、フロート１８が浮力によって上昇し、フロート１８のフランジ部が上流側の排水流路の内周に当接する。この時、第二排水流路と槽体Ｂの水位に差が生じ、当該水位の差に基づいて水量調節弁１０に対して上流側から下流側（図８における左側から右側）へと圧力が加わる。当該圧力がスプリング２０による反発力よりも小さい状態においては、水量調節弁１０は閉塞を維持するが、更に吐水が行われ、槽体Ｂ内の水位が所定高さに達した際には、図１０に示すように、第二排水流路と槽体Ｂの水位の差に基づく圧力がスプリング２０による反発力を上回り、水量調節弁１０が下流側へと押されて第二排水流路が開放される。従って、所定水位まで槽体Ｂ内に水等が貯留された状態より更に吐水が行われると、第二排水流路内の水等は折り返し部８を介してオーバーフロー排出口７よりアダプター４内に流入する。アダプター４内に流入した水等は合流部９において第一排水流路と合流し、排水トラップ１９を介して下水側の配管（図示せず）へと排出される。
即ち、所定水位を超えて貯留されようとした場合、余剰水等は全て第二排水流路を通じて下水側の配管へと排出されるため、槽体Ｂの水位は一定に保たれることとなり、槽体Ｂの上縁より余剰水等が溢れ出ることはない。
そして、水栓Ｆからの吐水が終了する・排水栓装置１３が操作されて止水弁１７が上昇する等により、槽体Ｂの水位が所定高さより低くなると、水等による圧力がスプリング２０の反発力を下回り、水量調節弁１０が磁石１１の反発によって再び左側へと移動し、第二排水流路を閉塞する。
尚、上記槽体Ｂ内に貯水が行われている際、フロート１８が浮力によって上昇し、フランジ部が上流側の排水流路の内周に当接することにより、第二排水流路内の汚れ・ゴミ等が槽体Ｂ内に逆流することを防ぐことができる。一方で、フロート１８は上方からの圧力が加わった際には下降するため、フロート１８が上昇した状態であっても、上流側からの水等の排出を妨げることはない。
【００３５】
本発明の第二実施形態は以上であるが、本発明によれば、槽体Ｂ内の水位が一定以上となった時に第二排水流路を開放する水量調節弁１０を備えることにより、第二排水流路を小型化することが可能となり、従来の排水配管が採用不可能であった設備機器にも取り付けを行うことが可能となる。
尚、本発明の排水配管においては、ナット２１を回転させることによってスプリング２０の反発力を調整することが可能になる。即ち、本発明は水量調節弁１０に加わる力を調整することによって、槽体Ｂ内に貯留可能な水等の水位を調整することが可能となる。
【００３６】
尚、上記第二実施形態においては、水量調節弁１０は止水面の傾きを保ったまま略水平に作動したが、止水面上方にヒンジ部を設け、ヒンジ部を軸として回動するようにして第二排水流路を閉塞／開放しても良い。
【００３７】
次に、図１１乃至図１４を用いて本発明の第三実施形態を説明する。尚、以下に記載する第三実施形態は、上記第一実施形態に対してオーバーフローユニット３のみが異なるため、その他の構成については上記第一実施形態と同一の番号を付与して説明を省略する。尚、以下に記載する第三実施形態は、上記第一実施形態と同様に、止水弁１７によって開閉される第一排水流路と、槽体Ｂ内の所定水位まで水等が貯留された際おいて、槽体Ｂ内の余剰水を排出する第二排水流路を有している。
【００３８】
第三実施形態に係るオーバーフローユニット３は、アダプター４、水量調節弁１０より構成されている。
アダプター４は内部に後述する止水弁１７が当接する弁座５を内部に有し、止水弁１７によって開閉される第一排水流路を備えている。弁座５の上流側（上方）には、側面方向にオーバーフロー流入口６が開口しており、弁座５の下流側（下方）には、側面方向にオーバーフロー排出口７が開口している。尚、図１４に示すように、オーバーフロー排出口７より排出された排水は合流部９にて第一排水流路と合流する。又、オーバーフロー流入口６とオーバーフロー排出口７は共に水平方向が長径側となる略長方形状であって、所定位置にて略垂直に屈曲した後に折り返し部８を介して連続し、水量調節弁１０によって開閉される第二排水流路を備えている。
折り返し部８はその内部において水量調節弁１０を有しており、第二排水流路は上流側及び下流側から正圧も負圧も生じていない状態において閉塞されている。
水量調節弁１０は比重が水よりも大きい球体から成る弁体であって、オーバーフロー流入口６の下流側端部に着座している。即ち、水量調節弁１０はその自重によって第二排水流路を閉塞する方向に付勢されており、所定以上の圧力が加わった際に下流側（上方）に押し上げられて移動し、第二排水流路を開放する構造となっている。
【００３９】
以下に、本発明の排水配管を通過する水等の流れを説明する。
【００４０】
まず、図１３に示すように、スイッチ部１４が引き上げられている状態における水等の流れを説明する。当該状態において、インナーワイヤはスイッチ部１４の引き上げに伴い後退しており、レバー１６端部は上昇した状態となっている。従って、レバー１６によって止水弁１７は押し上げられており、第一排水流路は開放状態となっている。
上記止水弁１７が上昇状態において、水栓Ｆより吐水が行われた際、槽体Ｂに排出された水等は排水口Ｂ１より排水口本体２、アダプター４、排水トラップ１９を通過して下水側の配管（図示せず）へと排出される。この時、排水トラップ１９に流入した排水の一部は排水トラップ１９の底面に貯留され、封水を形成する。
【００４１】
上記状態よりスイッチ部１４が押し込まれると、インナーワイヤがレバー１６側に突出し、レバー１６端部が下降する。従って、止水弁１７は自重によって下降し、止水弁１７のパッキンが弁座５に当接することによって、図１１、図１２に示すように、第一排水流路が閉塞された状態となる。
上記止水弁１７の下降状態において、水栓Ｆより排出された水等は排水口Ｂ１より排水口本体２を通じ、アダプター４内に流入するが、図１２に示すように、止水弁１７によって第一排水流路が閉塞されているため、上記アダプター４内に流入した水等はオーバーフロー流入口６より第二排水流路へと流入する。
しかし、上記第二排水流路は水量調節弁１０によって流路が閉塞されているため、上記水等は水量調節弁１０によって閉塞されている部分にまで流入し、槽体Ｂ内に水等が貯留される。
更に水栓Ｆより吐水が行われると、槽体Ｂ内の水位が上昇するとともに、フロート１８が浮力によって上昇し、フロート１８のフランジ部が上流側の排水流路の内周に当接する。この時、第二排水流路と槽体Ｂの水位に差が生じ、当該水位の差に基づいて水量調節弁１０に対して上流側から下流側（図１２における下方から上方）へと圧力が加わる。当該圧力が水量調節弁１０の自重よりも少ない状態においては、水量調節弁１０は閉塞を維持するが、更に吐水が行われ、槽体Ｂ内の水位が所定高さに達した際には、図１４に示すように、第二排水流路と槽体Ｂの水位の差に基づく圧力が水量調節弁１０の自重を上回り、水量調節弁１０が下流側（上方）へと押し上げられて第二排水流路が開放される。従って、所定水位まで槽体Ｂ内に水等が貯留された状態より更に吐水が行われると、第二排水流路内の水等は折り返し部８を介してオーバーフロー排出口７よりアダプター４内に流入する。アダプター４内に流入した水等は合流部９において第一排水流路と合流し、排水トラップ１９を介して下水側の配管（図示せず）へと排出される。
即ち、所定水位を超えて貯留されようとした場合、余剰水等は全て第二排水流路を通じて下水側の配管へと排出されるため、槽体Ｂ内の水位は一定に保たれることとなり、槽体Ｂの上縁より余剰水等が溢れ出ることはない。
そして、水栓Ｆからの吐水が終了する・排水栓装置１３が操作されて止水弁１７が上昇する等により、槽体Ｂ内の水位が所定高さより低くなると、水等による圧力が水量調節弁１０の自重を下回り、水量調節弁１０が下降することによって第二排水流路を閉塞する。
尚、上記槽体Ｂ内に貯水が行われている際、フロート１８が浮力によって上昇し、フランジ部が上流側の排水流路の内周に当接することにより、第二排水流路内の汚れ・ゴミ等が槽体Ｂ内に逆流することを防ぐことができる。一方で、フロート１８は上方からの圧力が加わった際には下降するため、フロート１８が上昇した状態であっても、上流側からの水等の排出を妨げることはない。
【００４２】
本発明の第三実施形態は以上であるが、本発明によれば、槽体Ｂ内の水位が一定以上となった時に第二排水流路を開放する水量調節弁１０を備えることにより、第二排水流路を小型化することが可能となり、従来の排水配管が採用不可能であった設備機器にも取り付けを行うことが可能となる。
【００４３】
尚、上記第三実施形態においては、水量調節弁１０は球体から成る弁体であったが、楕円や非円形等、種々の形状を採用しても良い。又、水量調節弁１０が一端にヒンジ部を有し、ヒンジ部を軸として自重により第二排水流路を閉塞／開放しても良い。
【００４４】
次に、図１５乃至図１８を用いて本発明の第四実施形態を説明する。尚、以下に記載する第四実施形態は、上記第一実施形態に対してオーバーフローユニット３及び排水栓装置１３のみが異なるため、その他の構成については上記第一実施形態と同一の番号を付与して説明を省略する。尚、以下に記載する第四実施形態は、上記第一実施形態と同様に、止水弁１７によって開閉される第一排水流路と、槽体Ｂ内の所定水位まで水等が貯留された際おいて、槽体Ｂ内の余剰水を排出する第二排水流路を有している。
【００４５】
第四実施形態に係るオーバーフローユニット３は、アダプター４、水量調節弁１０より構成されている。
アダプター４は内部に後述する水量調節弁１０が当接する弁座５を内部に有し、当該水量調節弁１０は内部に止水弁１７を有している。従って、アダプター４は止水弁１７によって開閉される第一排水流路と、水量調節弁１０によって開閉される第二排水流路とを備えている。
水量調節弁１０は弁部２２、弁軸１２、重り２３より構成されており、支点２４を中心として回動可能にアダプター４に固定されている。弁部２２は上流側（上方）にゴム等から成るパッキンが取り付けられた止水面を有する弁体であって、平面視リング状であり、内部に後述する止水弁１７が内部に固定されている。弁軸１２はアダプター４内外を貫通する様に配置され、アダプター４内部側の端部に弁部２２、他端（アダプター４外部側）に重り２３が取り付けられ、支点２４においてアダプター４に回動可能に固定されている。水量調節弁１０は上記重り２３の自重によって弁部２２が上方へと付勢されており、第二排水流路を上流側及び下流側から正圧も負圧も生じていない状態において閉塞している。一方で、弁部２２に対し、所定以上の圧力が加わった際には弁部２２が下流側（下方）へ回動し、第二排水流路を開放する構造となっている。ここで、水量調節弁１０は、重り２３を取り付けられる位置によって弁部２２に加わる上向きの圧力の強さを調整することができる。即ち、水量調節弁１０は、重り２３を弁軸１２の端部側（アダプター４から離間する側）へ寄せることで弁部２２へ加わる圧力を強め、支点２４側へ寄せることで弁部２２へ加わる圧力を弱めることができるものであって、第二排水流路を開放するために必要な圧力を調整することが可能となっている。
【００４６】
排水栓装置１３は止水弁１７を遠隔的に操作する装置であって、スイッチ部１４、レリースワイヤ１５から構成されている。
止水弁１７は周囲にパッキンが嵌着された弁体であって、水量調節弁１０の弁部２２内部に配置されており、当該パッキンが上記弁部２２に当接することで第一排水流路を閉塞する。
スイッチ部１４は手動による押し引きを行う操作部であって、キャビネットＫの天面上且つ水栓Ｆの背面に配置されている。
レリースワイヤ１５は金属の撚り線であるインナーワイヤがチューブ状のアウターチューブ内に摺動可能に配置された部材であって、軸方向に剛性を有するとともに、側面方向に可撓性を有する。レリースワイヤ１５はその一端がスイッチ部１４の下端と連結しており、他端が止水弁１７に取り付けられている。レリースワイヤ１５はスイッチ部１４の押動操作に応じてインナーワイヤが後退／突出する構造となっており、スイッチ部１４に加えられた操作を直接止水弁１７に伝達する。
即ち、スイッチ部１４が押し込まれると、インナーワイヤが突出して止水弁１７を突き上げることで止水弁１７が弁部２２から離間し、第一排水流路を開放状態とする。又、スイッチ部１４が引き上げられるとインナーワイヤが後退し、止水弁１７が下方に引き込まれることによって降下して第一排水流路が閉塞状態となる。
【００４７】
以下に、本発明の排水配管を通過する水等の流れを説明する。
【００４８】
まず、図１７に示すように、スイッチ部１４が押し込まれている状態における水等の流れを説明する。当該状態において、インナーワイヤはスイッチ部１４の押し込みに伴い突出しており、当該突出によって止水弁１７は押し上げられて第一排水流路が開放状態となっている。
上記止水弁１７が上昇状態において、水栓Ｆより吐水が行われた際、槽体Ｂに排出された水等は排水口Ｂ１より排水口本体２、アダプター４、排水トラップ１９を通過して下水側の配管（図示せず）へと排出される。この時、排水トラップ１９に流入した排水の一部は排水トラップ１９の底面に貯留され、封水を形成する。
尚、この時水量調節弁１０は弁部２２が弁座５に当接した状態となっており、第二排水流路は閉塞状態となっている。
【００４９】
上記状態よりスイッチ部１４が引き上げられると、インナーワイヤがスイッチ部１４側に後退し、止水弁１７が下降する。従って、止水弁１７のパッキンが水量調節弁１０の弁部２２に当接することによって、図１５、図１６に示すように、第一排水流路が閉塞された状態となる。
上記止水弁１７の下降状態において、水栓Ｆより排出された水等は排水口Ｂ１より排水口本体２を通じ、アダプター４内に流入するが、図１６に示すように、止水弁１７によって第一排水流路が閉塞されており、且つ第二排水流路は水量調節弁１０によって閉塞されているため、上記水等は槽体Ｂ内に貯留される。
更に水栓Ｆより吐水が行われると、槽体Ｂ内の水位が上昇する。この時、水量調節弁１０の上方に貯留された水等によって、水量調節弁１０の弁部２２に対して上流側から下流側（図１６における上方から下方）へと圧力が加わる。当該圧力が重り２３によって弁部２２に加えられた上向きの圧力に対して少ない状態においては、水量調節弁１０は第二排水流路の閉塞を維持するが、更に吐水が行われ、槽体Ｂの水位が所定高さに達した際には、図１８に示すように、水量調節弁１０上に貯留された水位に基づく圧力が重り２３による圧力を上回り、水量調節弁１０が下流側へと押されて回動し、第二排水流路が開放される。従って、所定水位まで槽体Ｂ内に水等が貯留された状態より更に吐水が行われると、第二排水流路内の水等は弁部２２を押し下げて、排水トラップ１９を介して下水側の配管（図示せず）へと排出される。
即ち、所定水位を超えて貯留されようとした場合、余剰水等は全て第二排水流路を通じて下水側の配管へと排出されるため、槽体Ｂの水位は一定に保たれることとなり、槽体Ｂの上縁より余剰水等が溢れ出ることはない。
そして、水栓Ｆからの吐水が終了する・排水栓装置１３が操作されて止水弁１７が上昇する等により、槽体Ｂの水位が所定高さより低くなると、水等による圧力が重り２３による圧力を下回り、弁部２２が重り２３の自重によって再び上昇し、第二排水流路を閉塞する。
【００５０】
本発明の第四実施形態は以上であるが、本発明によれば、槽体Ｂ内の水位が一定以上となった時に第二排水流路を開放する水量調節弁１０を備えることにより、第二排水流路を小型化することが可能となり、従来の排水配管が採用不可能であった設備機器にも取り付けを行うことが可能となる。
又、上記第四実施形態においては、第一排水流路と第二排水流路が同一管体内に形成されているため、第二排水流路用の配管を設ける必要がない。
【００５１】
次に、図１９乃至図２１を用いて本発明の第五実施形態を説明する。尚、以下に記載する第五実施形態は、上記第一実施形態と同様の洗面台Ｓ及び槽体Ｂに取り付けられるため、洗面台Ｓ及び槽体Ｂは上記第一実施形態と同一の符番を付してその記載を省略し、槽体Ｂの排水口Ｂ１に連通される排水管１についての説明のみを行う。
【００５２】
排水管１は排水口Ｂ１に連通されて排水流路を形成する配管であって、排水口本体２、水量調節弁１０、排水トラップ１９より構成されている。尚、本実施形態における水量調節弁１０は止水弁１７を兼ねている。
【００５３】
排水口本体２は上部にフランジを有する略円筒状であって、排水口Ｂ１に挿通されている。又、排水口本体２は内部に水量調節弁１０が当接する弁座５を有すると共に、筒状部分外周に雄螺子が形成されており、槽体Ｂの裏面（下面）に配置されたナットと螺合することによって排水口Ｂ１の周縁を挟持している。尚、排水口本体２のフランジと槽体Ｂの底面との間にパッキンが配置されており、排水口本体２は槽体Ｂに対して水密に接続されている。又、排水口本体２の下端は排水トラップ１９に、パッキンとナットによって取り付けられている。
【００５４】
水量調節弁１０は周囲にパッキンが嵌着された弁部２２と、弁部２２裏側より延設された弁軸１２より成る弁体であって、排水口本体２に弁軸が固定されている。弁軸１２は内部にロック機構（図示せず）及びモータ（図示せず）を備えており、弁部２２に対して押動操作が加えられる毎に弁部２２が上昇／下降することでパッキンが弁座５に対して当接／離間を繰り返すと共に、当該当接／離間状態をロック機構にて保持することができる。又、弁部２２は内部に水圧感知機構２５を備えている。
水圧感知機構２５は槽体Ｂ内部に水等が貯留された際、弁部２２上に加わる水圧を検知する装置であり、弁部２２に対して所定以上の水圧が加わった際にモータを駆動させ、弁部２２を上昇させる。そして、弁部２２に加わる水圧が所定以下となった際に再びモータを駆動させ、弁部２２を下降させ、パッキンを弁座５に当接させることができる。
【００５５】
排水トラップ１９は側面視略Ｓ状の管トラップであり、内部に排水の一部を貯留することによって封水を形成し、下流側からの臭気や害虫等の侵入を防ぐ効果を有している。尚、排水トラップ１９はその下端が図示しない配管と連結しており、内部に流入した排水を下水側の配管へ排出する。
【００５６】
以下に、本発明の排水配管を通過する水等の流れを説明する。
【００５７】
まず、図２１に示すように、水量調節弁１０が上昇し、弁座５から離間している状態における水等の流れを説明する。当該状態において、排水口本体２の内部に形成された排水流路は開放されている。
【００５８】
上記水量調節弁１０の上昇状態において、ロック機構は内部に配置されたギア（図示せず）が噛み合うことにより、当該水量調節弁１０の上昇状態、即ち弁部２２が弁座５から離間した状態を保持している。
上記水量調節弁１０が上昇状態において、水栓Ｆより吐水が行われた際、槽体Ｂに排出された水等は排水口Ｂ１より排水口本体２、排水トラップ１９を通過して下水側の配管（図示せず）へと排出される。この時、排水トラップ１９に流入した排水の一部は排水トラップ１９の底面に貯留され、封水を形成する。
【００５９】
上記状態より弁部２２に対して押動操作が加えられると、弁部２２が下降するとともに、当該下降状態がロック機構により保持される。従って、弁部２２のパッキンが弁座５に当接することによって、図２０に示すように、排水口本体２の内部に形成された排水流路が閉塞された状態となる。即ち、本実施形態において、水量調節弁１０は排水流路を閉塞する止水弁１７としても機能している。
上記水量調節弁１０の下降状態において、水量調節弁１０によって排水流路が閉塞されているため、水栓Ｆより排出された水等は槽体Ｂ内に貯留される。
水栓Ｆからの吐水が継続され、槽体Ｂ内の水位が所定高さを超えた際、弁部２２に加わる水圧より水圧感知機構２５が槽体Ｂ内の水位を感知し、モータを駆動させる。モータの駆動により弁部２２が上昇し、排水流路が開放されて槽体Ｂ内の水等が排水口本体２及び排水トラップ１９を通じて下水側の配管（図示せず）へと排出される。尚、モータの駆動により弁部２２が上昇した状態は図２１と同様であるためその記載を省略している。
即ち、所定水位を超えて貯留されようとした場合、水圧感知機構２５によって弁部２２が上昇し、余剰水等は下水側の配管へと排出されるため、槽体Ｂの水位は一定に保たれることとなり、槽体Ｂの上縁より余剰水等が溢れ出ることはない。
そして、水栓Ｆからの吐水が終了する・排水栓装置１３が操作されて水量調節弁１０が上昇する等により、槽体Ｂ内の水位が所定高さより低くなり、弁部２２に加わる水圧が所定以下となった際、水圧感知機構２５が再びモータを駆動させて弁部２２を下降させ、パッキンを弁座５に当接させて排水流路を閉塞する。
【００６０】
本発明の第五実施形態は以上であるが、本発明によれば、槽体Ｂ内の水位が一定以上となった時に排水流路を開放する水量調節弁１０を備えることにより、従来の排水配管が採用不可能であった設備機器にもオーバーフロー機構を付与することが可能となる。
又、本発明の排水配管においては、上記各実施形態のように、オーバーフロー機構を構成する第二排水流路を別途備える必要がない。
【００６１】
尚、上記第五実施形態においては、水量調節弁１０（止水弁１７）が水圧感知機構２５を備えており、弁部２２上に加わる水圧より槽体Ｂ内の水位を感知していたが、当該水圧感知機構２５に代えて、槽体Ｂ内に水位を感知する水位検知機構を備えることによって直接水位を感知し、モータを駆動させて弁部２２を上昇／下降させる構造であっても良い。
又、必ずしも水量調節弁１０が止水弁１７を兼ねている必要は無く、水圧感知機構２５若しくは水位感知機構を有する水量調節弁１０に加えて、別途止水弁１７を設けていても良い。この場合、槽体Ｂは底面に２箇所の排水口Ｂ１が開口していても良い。
【００６２】
次に、図２２乃至図２４を用いて本発明の第六実施形態を説明する。尚、以下に記載する第六実施形態は、上記第一実施形態と同様の洗面台Ｓ及び槽体Ｂに取り付けられるため、洗面台Ｓ及び槽体Ｂは上記第一実施形態と同一の符番を付してその記載を省略し、槽体Ｂの排水口Ｂ１に連通される排水管１についての説明のみを行う。尚、以下に記載する第六実施形態は、上記第一実施形態と同様に、止水弁１７によって開閉される第一排水流路と、槽体Ｂ内の所定水位まで水等が貯留された際おいて、槽体Ｂ内の余剰水を排出する第二排水流路を有している。
【００６３】
排水管１は排水口Ｂ１に連通されて排水流路を形成する配管であって、排水口本体２、止水弁１７、水量調節弁１０、排水トラップ１９より構成されている。
【００６４】
排水口本体２は上部にフランジを有する略円筒状であって、排水口Ｂ１に挿通されている。又、排水口本体２は内部に止水弁１７が当接する弁座５を有すると共に、筒状部分外周に雄螺子が形成されており、槽体Ｂの裏面（下面）に配置されたナットと螺合することによって排水口Ｂ１の周縁を挟持している。尚、排水口本体２のフランジと槽体Ｂの底面との間にパッキンが配置されており、排水口本体２は槽体Ｂに対して水密に接続されている。又、排水口本体２の下端は排水トラップ１９に、パッキンとナットによって取り付けられている。
【００６５】
止水弁１７はシリコン・ゴム等の弾性材から成る弁部２２、硬質の樹脂材から成る本体部２７、本体部２７の上方に取り付けられた鎖部２８から成る。弁部２２は本体部２７の外周に設けられており、弁部２２が排水口本体２の弁座５と当接することによって排水流路を水密に閉塞する。本体部２７は中央に後述する水量調節弁１０が取り付けられる開口を有する。鎖部２８は一端が本体部２７に、他端が槽体Ｂに接続されたボールチェーンである。
【００６６】
水量調節弁１０はシリコン・ゴム等の弾性素材より成り、筒体の一端を重ね合わせた正面視略漏斗状であって、内部に排水流路を有し、取付部２９、傾斜面３０、開閉部３１より構成されている。取付部２９は水量調節弁１０の上端であって、止水弁１７の本体部２７内周に形成された凸部に嵌着されている。傾斜面３０は水量調節弁１０の両側面において、取付部２９の下方より下流側に向けて延設され、一方の傾斜面３０が対向する傾斜面３０へ向けて漸次接近するように形成されている。開閉部３１は水量調節弁１０の下端に形成され、前記傾斜面３０の対向する内周面同士が水量調節弁１０の中心軸上で互いに当接し、当該当接状態のまま垂直方向に延設されることによって構成されている。即ち、開閉部３１は上流側及び下流側から正圧も負圧も付与されていない状態において閉塞状態を維持している。
【００６７】
上記水量調節弁１０は上流側より所定以上の圧力（水圧等）が付与された際に開閉部３１が内側より押し広げられ、流路を開放する構造となっている。即ち、本実施形態では、排水口本体２はその内部において、止水弁１７によって開閉される第一排水流路を形成し、止水弁１７に取り付けられた水量調節弁１０は、槽体Ｂ内の所定水位まで水等が貯留された際おいて、槽体Ｂ内の余剰水を排出する第二排水流路を形成している。
【００６８】
排水トラップ１９は側面視略Ｓ状の管トラップであり、内部に排水の一部を貯留することによって封水を形成し、下流側からの臭気や害虫等の侵入を防ぐ効果を有している。尚、排水トラップ１９はその下端が図示しない配管と連結しており、内部に流入した排水を下水側の配管へ排出する。
【００６９】
以下に、本発明の排水配管を通過する水等の流れを説明する。
【００７０】
まず、止水弁１７が弁座５から離間している状態における水等の流れを説明する。当該状態において、排水口本体２の内部に形成された排水流路は開放されている。
【００７１】
上記止水弁１７が弁座５より離間している状態において、水栓Ｆより吐水が行われた際、槽体Ｂに排出された水等は排水口Ｂ１より第一排水流路に流入し、排水口本体２、排水トラップ１９を通過して下水側の配管（図示せず）へと排出される。この時、排水トラップ１９に流入した排水の一部は排水トラップ１９の底面に貯留され、封水を形成する。
【００７２】
上記状態より止水弁１７が排水口本体２に取り付けられ、弁部２２が弁座５に当接されると、図２３に示すように、排水口本体２内の排水流路が閉塞された状態となる。この時、第一排水流路は止水弁１７によって閉塞され、第二排水流路は水量調節弁１０によって閉塞されている。
上記止水弁１７が排水口本体２に取り付けられた状態において、止水弁１７によって第一排水流路が閉塞されているため、水栓Ｆより排出された水等は槽体Ｂ内に貯留される。この時、槽体Ｂ内の水位に基づいて水量調節弁１０上に加わる圧力が開閉部３１が閉塞可能な圧力を下回っている場合、開閉部３１は閉塞を維持している。
水栓Ｆからの吐水が継続され、槽体Ｂ内の水位が所定高さを超えた際、槽体Ｂ内の水位に基づいて水量調節弁１０上に加わる圧力が開閉部３１によって閉塞可能な圧力を上回る。この時、当該圧力によって開閉部３１が内側から押し広げられ、図２３に示すように、開閉部３１が開口し、第二排水流路が開放される。従って、所定水位まで槽体Ｂ内に水等が貯留された状態よりさらに吐水が行われると、余剰水等は第二排水流路より流入し、排水口本体２、排水トラップ１９を通過して下水側の配管（図示せず）へと排出される。
即ち、所定水位を超えて貯留されようとした場合、余剰水等は全て第二排水流路を通じて下水側の配管へと排出されるため、槽体Ｂ内の水位は一定に保たれることとなり、槽体Ｂの上縁より余剰水等が溢れ出ることはない。
そして、水栓Ｆからの吐水が終了する、止水弁１７が引き上げられる等により、槽体Ｂ内の水位が所定高さより低くなると、水等による圧力が開閉部３１が閉塞可能な圧力を下回り、開閉部３１が自身の弾性によって閉塞されることによって第二排水流路を閉塞する。
【００７３】
本発明の第六実施形態は以上であるが、本発明によれば、槽体Ｂ内の水位が一定以上となった時に第二排水流路を開放する水量調節弁１０を備えることにより、第二排水流路を小型化することが可能となり、従来の排水配管が採用不可能であった設備機器にも取り付けを行うことが可能となる。
又、本発明においては、水量調節弁１０を有する止水弁１７を取り付けることのみによって、設備機器にオーバーフロー機構を後付けすることが可能である。
【００７４】
尚、本発明の第六実施形態においては、止水弁１７の内部に配置する水量調節弁１０の開閉部３１が閉塞を維持することによって槽体Ｂ内の水位を維持する構造となっている。従って、止水弁１７に取り付けられる水量調節弁１０を取り替えることによって、槽体Ｂ内に貯留可能な水位を適宜変更することが可能となる。例えば、硬度の高い水量調節弁１０を取り付ける等、開閉部３１を押し広げるために必要な圧力が高くなれば槽体Ｂ内に貯留可能な水位は高くなる。
【００７５】
本発明の各実施形態は以上であるが、本発明は各実施形態に記載した形態に限定されるものではなく、発明の要旨を逸脱しない範囲において適宜変更可能である。例えば、第三実施形態に記載した排水配管においては、水量調節弁１０と排水トラップ１９との間の流路内に空気溜まりが生じることから、排水流路内に通気弁を設け、流路の空気をキャビネットＫ内に放出する構造としても良い。
又、本発明は上記各実施形態において記載した形状の洗面台の他、壁面から直接洗面ボウルが突出する形状を有する洗面台に採用されても良い。又、槽体Ｂは洗面ボウルに限られるものではなく、流し台のシンクや浴室の浴槽であっても良いものである。
【符号の説明】
【００７６】
１                排水管
２                排水口本体
３                オーバーフローユニット
４                アダプター
５                弁座
６                オーバーフロー流入口
７                オーバーフロー排出口
８                折り返し部
９                合流部
１０              水量調節弁
１１ａ、１１ｂ    磁石
１２              弁軸
１３              排水栓装置
１４              スイッチ部
１５              レリースワイヤ
１６              レバー
１７              止水弁
１８              フロート
１９              排水トラップ
２０              スプリング
２１              ナット
２２              弁部
２３              重り
２４              支点
２５              水圧感知機構
２７              本体部
２８              鎖部
２９              取付部
３０              傾斜面
３１              開閉部
Ｓ                洗面台
Ｂ                槽体
Ｂ１              排水口
Ｂ２              化粧板
Ｆ                水栓
Ｋ                キャビネット
【図１】
0006682065.tif 000002
【図２】
0006682065.tif 000003
【図３】
0006682065.tif 000004
【図４】
0006682065.tif 000005
【図５】
0006682065.tif 000006
【図６】
0006682065.tif 000007
【図７】
0006682065.tif 000008
【図８】
0006682065.tif 000009
【図９】
0006682065.tif 000010
【図１０】
0006682065.tif 000011
【図１１】
0006682065.tif 000012
【図１２】
0006682065.tif 000013
【図１３】
0006682065.tif 000014
【図１４】
0006682065.tif 000015
【図１５】
0006682065.tif 000016
【図１６】
0006682065.tif 000017
【図１７】
0006682065.tif 000018
【図１８】
0006682065.tif 000019
【図１９】
0006682065.tif 000020
【図２０】
0006682065.tif 000021
【図２１】
0006682065.tif 000022
【図２２】
0006682065.tif 000023
【図２３】
0006682065.tif 000024
【図２４】
0006682065.tif 000025
【図２５】
0006682065.tif 000026